(57)【要約】      （修正有）【課題】従来に比べ耐久性があり、雨天時の歩行や農作業に適した姿勢が得られ、しかも容易に製造され得る長靴用靴底を提供する。【解決手段】本考案は、アッパーとアウトソール１２からなる長靴において、アウトソール１２が爪先側に位置する薄肉部と、踵側に位置する厚肉部と備えており、踵部分１５に立設された複数のリブ１４に対し、リブ間の隙間を１／３以下にした長靴用靴底である。好ましくは、リブ間の断面形状が略三角錐にした長靴用靴底である。【選択図】図３
0003189935.tif 000002
【実用新案登録請求の範囲】
【請求項１】
アッパーとアウトソールからなる長靴において
アウトソールが爪先側に位置する薄肉部と、踵側に位置する厚肉部と備えており、踵部分に立設された複数のリブに対し、リブ間の隙間を１／３にしたことを特徴とする長靴用靴底。
【請求項２】
前記リブ間の断面形状が略三角錐にしたことを特徴とする請求項１記載の長靴用靴底。
【考案の詳細な説明】
【技術分野】
【０００１】  本考案は、長靴用靴底の補強構造に関するものである。
【背景技術】
【０００２】  雨の日に外出する場合や足場の悪い農作業等に長靴が利用されている。
図１は、アッパーとアウトソールからなる長靴である。
図２は、従来の長靴が示された断面図である。【０００３】  この長靴は、長靴本体であるアッパーと靴底のアウトソールを備えている。
アッパーとアウトソールは、射出成形法にて一体成形されている。
このアッパーに接着剤にてアウトソールが接合されている。
このアウトソールでは、踵側が爪先側よりも肉厚になっている。【０００４】  従って、インソールは爪先下がりであり、この長靴を着用する人たちは爪先下がりである。
この姿勢は、雨の日に外出する場合や足場の悪い農作業等に適しており、疲れにくい態勢になっている。【０００５】  この長靴のアッパーとアウトソールとは、１つの金型において、同時に成形される。
このように、一体成形されたアッパーとアウトソールを同時に成形することにより、安価な製造コストで製造可能である。【０００６】  従来、釣用靴で、ミッドソール部分の爪先を薄肉にし、踵部分を肉厚する構造として、提案されている（例えば、特許第５２６５２３１号公報参照）。
また、長靴のクッション性を高めるために、ミッドソールの踵部に複数のリブを有する構造が提案されている（例えば、特開２００４−１６００６４号公報参照）。
【先行技術文献】
【特許文献】
【０００７】
【特許文献１】特許第５２６５２３１号公報
【特許文献２】特開２００４−１６００６４号公報
【０００８】  長靴を利用して雨の日の歩行や農作業等を繰り返し使用されると、アウトソールが徐々に摩耗してくる。
特に踵部分のアウトソールがすり減りやすく、摩耗が進行するとアウトソールからインソールに雨水等が滲出し、使用できない状態になる。
【考案が解決しようとする課題】
【０００９】  本考案の目的は、従来に比べ耐久性があり、雨天時の歩行や農作業に適した姿勢が得られ、しかも容易に製造され得る長靴の提供にある。
【課題を解決するための手段】
【００１０】  本考案は、アッパーとアウトソールからなる長靴において、アウトソールが爪先側に位置する薄肉部と、踵側に位置する厚肉部と備えており、踵部分に立設された複数のリブに対し、リブ間の隙間を１／３以下にした長靴用靴底である。
【００１１】  好ましくは、リブ間の断面形状が略三角錐にした長靴用靴底である。
【考案の効果】
【００１２】  本考案に係る長靴は、アッパーとアウトソールとが射出成形法によって一体成形されるので、容易かつ低コストで製造され得る。
また、本考案の長靴では、アウトソールが爪先側に位置する薄肉部と踵側に位置する厚肉部を備えるので、雨の日に外出する場合や足場の悪い農作業等に適しており、疲れにくい態勢になっている。
【００１３】  さらに、アウトソールのリブを補強してあるので、摩耗に耐えうるので従来と比較して、耐久性がある長靴になる。
【００１４】
【実施例】
【００１５】  以下、適宜図面を参照しつつ、好ましい実施形態に基づいて本考案が詳細に説明される。【００１６】  図１は、従来の長靴の斜視図である。
図２は、従来の長靴が示された断面図である。
図３は、本考案に係る長靴の断面図である。【００１７】    本考案の長靴は、アッパー、アウトソール及びインソールを備えている。
アッパーは、典型的には、ポリ塩化ビニールからなる。
本考案のアッパーは、強度及び剛性に優れる。【００１８】  図示されていないが、アッパーには、その内面に位置する裏地が積層されている。【００１９】  アッパーは、他の合成樹脂からなってもよい。
アウトソールの材質は、アッパーの材質と同一である。【００２０】  アウトソールは、アッパーと一体成形されている。
アウトソールとアッパーは、射出成形法によって得られる。【００２１】アウトソールは、その外縁にリブを備えている。
リブは、下向きに垂下している。【００２２】  従来のリブ構造は、図２に示すように下向き垂下しているが、本考案では、金型によりリブ間の隙間を１／３以下に埋め、リブを補強する構造にした。
好ましくは、リブ間の断面形状が略三角錐になるようリブを補強する構造にした。【００２３】  このリブを補強する材質は、天然ゴム、ポリ塩化ビニール（ＰＶＣ）、合成ゴム等が採用される。【００２４】  このようにリブを補強することにより、長靴を利用して雨の日の歩行や農作業等を繰り返し使用して、アウトソールが徐々に摩耗して、従来は踵部分のリブが摩耗し、雨水がインナーソールに滲出してきた。【００２５】  しかし、本考案のように、アウトソールの踵部分のリブを補強したので、リブの摩耗部分が増え、従来と比較して雨水の滲出が遅くなり、耐久性を有する長靴が得られるようになった（図３）。【００２６】
【図面の簡単な説明】
【００２７】
【図１】図１は、アッパーとアウトソールからなる長靴の斜視図である。
【図２】図２は、従来の長靴の断面図である。
【図３】図３は、本考案に係る長靴の断面図である。
【符号の説明】
【００２８】１０・・・長靴
１１・・・アッパー
１２・・・アウトソール
１３・・・インナーソール
１４・・・リブ
１５・・・踵部分
１６・・・リブ補強部
【図１】
0003189935.tif 000003
【図２】
0003189935.tif 000004
【図３】
0003189935.tif 000005
【手続補正書】
【提出日】平成26年1月17日(2014.1.17)
【手続補正１】
【補正対象書類名】実用新案登録請求の範囲
【補正対象項目名】請求項１
【補正方法】変更
【補正の内容】
【請求項１】
アッパーとアウトソールからなる長靴において
アウトソールが爪先側に位置する薄肉部と、踵側に位置する厚肉部と備えており、踵部分に立設された複数のリブを有し、最も踵側のリブとリブ間の空間の隙間が１／３になるように埋めたこと
を特徴とする長靴用靴底。
【手続補正２】
【補正対象書類名】明細書
【補正対象項目名】００１０
【補正方法】変更
【補正の内容】
【００１０】        本考案は、アッパーとアウトソールからなる長靴において、アウトソールが爪先側に位置する薄肉部と、踵側に位置する厚肉部と備えており、踵部分に立設された複数のリブを有し、最も踵側のリブとリブ間の空間の隙間が１／３になるように埋めた長靴用靴底である。